(57)【要約】【課題】  多種・多様なセンサ情報を一元管理し、融合処理して、情報を整理して操作者に提示する。【解決手段】  センサ情報処理システムをＪＤＬ準拠の構成とし、各種センサからの情報を画像、シンボル、文字、数値及び音のまま保持、管理するマルチメディアＤＢＭＳ（データベース・マネージメント・システム）１２１に登録し、登録したセンサ情報の物理的な性質に基づき、パターン認識及びセンサ信号融合処理を施し、操作者が必要とする情報に加工する。加工された情報は、操作者の作業目的に応じた表示とその表示に基づく操作を提供するため、エージェントと呼ぶ操作者の操作パターンに基づき提示する。したがって、多種・多様なセンサ情報を一元管理し、融合処理して、情報を整理して操作者に提示することができる。【選択図】      図１
2006071598.tif 000002
【特許請求の範囲】
【請求項１】
複数のセンサからセンサ情報を取得するセンサ情報取得手段と、
前記複数のセンサから取得されるセンサ情報をメディア別にデータベースに保持し、管理するマルチメディア・データベース管理手段と、
前記データベースに保持されたセンサ情報についてパターン認識及び融合処理を施し、要求される形態の情報に加工する第１の融合処理手段と、
前記加工された情報を入力操作パターンに基づいて類識別し提示する提示手段とを具備することを特徴とするセンサ情報処理システム。
【請求項２】
前記第１の融合処理手段は、要求される形態に合わせて一体化類識別の支援情報を作成することを特徴とする請求項１記載のセンサ情報処理システム。
【請求項３】
さらに、前記提示手段の類識別結果に基づいて上位の融合処理を施す第２の融合処理手段を備えることを特徴とする請求項１記載のセンサ情報処理システム。
【請求項４】
前記第１及び第２の融合処理手段は、ＪＤＬ（Joint Directors of Laboratories）が提唱するデータ融合モデルに準拠することを特徴とする請求項３記載のセンサ情報処理システム。
【発明の詳細な説明】
【技術分野】
【０００１】
本発明は、複数種類のセンサ情報を収集し、操作者の要求に応じて提示するセンサ情報処理システムに関する。
【背景技術】
【０００２】
従来から、哨戒機に搭載の戦闘指揮システム及び戦術情報表示処理システムに代表されるセンサ情報処理システムでは、単独のセンサ（レーダ等）から入力された画像情報を自動類識別するシステムが実現されている。また、電子装置の小型化、省電力化により、哨戒機にも多種多様なセンサが搭載され、センサ情報処理システムでも多くのセンサ情報を取り扱うようになりつつある。
【０００３】
しかしながら、従来のセンサ情報処理システムでは、センサ情報が多種・多様化しているにもかかわらず、個別に検出結果を提示しているにすぎない。このため、操作者は各センサの提示内容を瞬時に読み取る技能が要求される等、その負荷は非常に大きく、提示される情報の確認とそれに対する操作に追われ、各人の持つ能力を十分に発揮できない。
【０００４】
尚、特許文献１に、情報融合による識別処理装置に関する技術が開示されている。この識別処理装置は、観測対象に関する複数の情報を融合（処理，統合）して、識別結果などの観測目標に関する情報の確からしさを改善することを目的としており、観測対象の種別に応じた推論モデルと推論手順からなる情報融合手法に関する融合知識ベースを用いて、観測目標に関する情報の融合処理を行い、表示装置への識別結果などの図示表示または印刷出力装置への印刷出力を行うようにしている。しかしながら、この文献に記載の装置は、観測対象毎の情報融合を行っているにすぎず、統合的な情報管理を行っている訳ではない。
【特許文献１】特開平０６−２６６５６０号公報
【発明の開示】
【発明が解決しようとする課題】
【０００５】
以上述べたように、従来のセンサ情報処理システムでは、センサ情報が多種・多様化しているにもかかわらず、個別に検出結果を提示しているにすぎない。このため、操作者は各センサの提示内容を瞬時に読み取る技能が要求される等、その負荷は非常に大きく、提示される情報の確認とそれに対する操作に追われ、各人の持つ能力を十分に発揮できない。
【０００６】
本発明は上記の事情に鑑みてなされたもので、多種・多様な情報を一元管理し、融合処理して、情報を整理して操作者に提示することのできるセンサ情報処理システムを提供することを目的とする。
【課題を解決するための手段】
【０００７】
上記問題を解決するために、本発明に係るセンサ情報処理システムは、複数のセンサからセンサ情報を取得するセンサ情報取得手段と、前記複数のセンサから取得されるセンサ情報をメディア別にデータベースに保持し、管理するマルチメディア・データベース管理手段と、前記データベースに保持されたセンサ情報についてパターン認識及び融合処理を施し、要求される形態の情報に加工する第１の融合処理手段と、前記加工された情報を入力操作パターンに基づいて類識別し提示する提示手段とを具備することを特徴とする。
【０００８】
前記第１の融合処理手段は、要求される形態に合わせて一体化類識別の支援情報を作成することを特徴とする。
【０００９】
さらに、前記提示手段の類識別結果に基づいて上位の融合処理を施す第２の融合処理手段を備えることを特徴とする。
【００１０】
前記第１及び第２の融合処理手段は、ＪＤＬ（Joint Directors of Laboratories）が提唱するデータ融合モデルに準拠することを特徴とする。
【発明の効果】
【００１１】
本発明によれば、多種・多様な情報を一元管理し、融合処理して、情報を整理して操作者に提示することのできるセンサ情報処理システムを提供することができる。
【発明を実施するための最良の形態】
【００１２】
以下、図面を参照して本発明の実施の形態を詳細に説明する。尚、ここでは説明を簡単にするため、前述の哨戒機搭載の場合を想定する。
【００１３】
図１は本発明に係るセンサ情報処理システムの一実施形態を示すブロック構成図である。図１において、１１は情報源であり、自機センサ群のセンサ検出結果を収集するための自機センサ入力インターフェース１１１と、艦艇センサ群、僚機センサ群それぞれのセンサ検出結果を収集するための他ユニットセンサ入力インターフェース１１２を備える。各入力インターフェース１１１，１１２で取り込まれたセンサ情報は、それぞれシンボル、数値、文字情報、環境状況を含む各センサ情報の特徴情報とともに、データベース管理システム１２のマルチメディア・データベース・マネージメント・システム（以下、ＤＢＭＳ）１２１に送られる。このマルチメディアＤＢＭＳ１２１は、入力されたセンサ信号をその特徴情報に基づいて分類し、例えばカタログ別、特徴量別に仕分けして登録する。
【００１４】
第１融合処理部１３は上記マルチメディアＤＢＭＳ１２１の格納情報のパターン認識及びセンサ信号融合処理を行うことで、後述するＪＤＬ（Joint Directors of Laboratories）が提唱するデータ融合モデルのレベル０（前処理），１（目標認識）の処理を実行する。パターン認識は、操作者のセンサ解析手順に基づいて画像処理及び音声処理を施し、センサ信号から特徴量を抽出する。また、センサ信号融合処理は、センサ信号の特徴量から統計的手法等により、一体化類識別の支援情報を作成する。このようにして得られたパターン認識結果及びセンサ信号融合処理結果は、ＨＣＩ（ヒューマン・コンピュータ・インタラクション：Human Computer Interaction）１４に送られる。
【００１５】
このＨＣＩ１４は、人間とコンピュータとの意志疎通を図るためのもので、操作者の類識別手順を支援するため、必要な情報、不要な情報を整理して、センサ信号の一体化表示及びマルチメディアＤＢＭＳ１２１の情報を統合して表示するエージェント指向インターフェース１４１を備える。ＨＣＩ１４におけるエージェント指向な表示例としては、状況に対応したセンサ情報の自動表示、画像データの鮮明化（目標表示を鮮明化）、操作者への積極的な情報提示手法（目標のマーキング）等がある。
【００１６】
操作者が類識別した結果は、上位機能の第２融合処理部１５に送られる。この第２融合処理部１５は、エージェント指向インターフェース１４からの類識別結果から状況評価、脅威見積評価、プロセス洗練化を実行して、ＪＤＬ提唱モデルの融合レベル２，３，４を実行するものである。
【００１７】
上記構成において、第１及び第２融合処理部１３，１５のデータ融合処理は、図２に示すＪＤＬ提唱のデータ融合モデルに準拠する。すなわち、ＪＤＬでは、データ融合機能をレベル０〜４の５段階に分けている。レベル０の前処理では、信号の画素レベルにおける関連付け、特徴抽出、入力データの最適融合処理機能への振り分け等を行う。レベル１の目標認識では、データの整合、目標位置の見積り・相関目標の識別等を行う。レベル２の状況評価では、目標間の関連性、敵の兵力組成等の状況を評価する。レベル３の脅威見積り／評価では、脅威の分析（敵の能力・意図）、戦闘状況の予測、彼我の脆弱性の評価を行う。レベル４のプロセス洗練化では、データ融合処理機能が最適に実施されるように各融合処理性能を監視し、融合結果の改善に必要なデータ等を明確化し、任務達成のために必要な情報源を割り当て、収集データ形式の指定等センサの制御を行う。
【００１８】
以上のデータ融合処理は、データベース管理システム１２とリンクされ、サポートデータベースと融合データベースの両方を用い、関連する知的データの蓄積はサポートデータベースで、情報源１１からのデータ等及び処理結果の蓄積は融合データベースで行われる。
【００１９】
このように、ＪＤＬ準拠の構成によるセンサ情報処理システムでは、各種センサからの情報を画像、シンボル、文字、数値及び音のまま保持、管理するマルチメディアＤＢＭＳ（データベース・マネージメント・システム）１２１に登録し、登録したセンサ情報の物理的な性質に基づき、パターン認識及びセンサ信号融合処理を施し、操作者が必要とする情報に加工する。加工された情報は、操作者の作業目的に応じた表示とその表示に基づく操作を提供するため、エージェントと呼ぶ操作者の操作パターンに基づき提示する。したがって、多種・多様なセンサ情報を一元管理し、融合処理して、情報を整理して操作者に提示することができる。
【００２０】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２１】
【図１】本発明に係るセンサ情報処理システムの一実施形態を示すブロック構成図。
【図２】本発明のシステムが準拠するＪＤＬ提唱のデータ融合モデルを示すブロック構成図。
【符号の説明】
【００２２】
１１…情報源、１１１…自機センサ入力インターフェース、１１２…他ユニットセンサ入力インターフェース、１２…データベース管理システム、１２１…マルチメディア・データベース・マネージメント・システム（ＤＢＭＳ）、１３…第１融合処理部、１４…ＨＣＩ（Human Computer Interaction）、１５…第２融合処理部。
【図１】
2006071598.tif 000003
【図２】
2006071598.tif 000004